(57)【要約】【課題】本発明は整骨科医療用松葉杖を開示した。【解決手段】本発明は整骨科医療用松葉杖を公示し、左右対称の杖支柱を含み、前記杖支柱の上端面には脇下受圧ブロックが固定的に設置され、前記脇下受圧ブロックには棉クッションが固定的に設置され、前記杖支柱のうち互いに離れた端面の中には手持ち溝が設置され、前記手持ち溝の中には取っ手が設置され、前記手持ち溝のうち互いに近寄る側には収縮溝が設置され、前記収縮溝の中には固定軸が固定的に設置され、本発明の整骨科医療用松葉杖は二つの使用方法を有し、一つは脇下に置いて松葉杖として利用でき、使用者自身の力で杖の移動を連動させ、もう一つは、ローラの回転移動で患者の歩行を輔助でき、使用範囲が広く、異なる整骨科患者の需要を満たせる。【選択図】図１
2020182807.tif 000002
【特許請求の範囲】
【請求項１】
正面視で、左右対称の杖支柱を含み、
前記杖支柱の上端面には脇下受圧ブロックが固定的に設置され、前記脇下受圧ブロックには棉クッションが固定的に設置され、
前記杖支柱のうち互いに離れた端面の中には手持ち溝が設置され、前記手持ち溝の中には取っ手が設置され、前記手持ち溝のうち互いに近寄る側には収縮溝が設置され、前記収縮溝の中には固定軸が固定的に設置され、前記固定軸の中には前方に開口した圧迫溝が設置され、前記圧迫溝の中には圧迫ブロックがスライド可能に設置され、前記圧迫ブロックの後端と前記圧迫溝との間には圧迫ばねが固定的に設置され、前記圧迫溝のうち前記手持ち溝に近接した側の端壁の中には前後対称の推動溝が連通するように設置され、前記推動溝の中には引掛りブロックがスライド可能に設置され、前記引掛りブロックのうち前記手持ち溝に近接した端と前記推動溝との間には伸縮ばねが固定的に設置され、前記引掛りブロックには当接溝が設置され、前記当接溝と前記圧迫ブロックとは当接しており、前記固定軸には回転板が回転可能に、且つ嵌め込むように設置され、前記回転板のうち互いに離れた端と前記収縮溝の中の端壁との間には捻りばねが固定的に設置され、前記回転板の中には前後対称の連結溝が設置され、左側の二つの前記連結溝の中には連結スライドブロックがスライド可能に設置され、前記連結スライドブロックの一端には前記連結スライドブロックを復位させることができる復位ユニットが固定的に設置され、前記回転板のうち互いに近寄る端面の中には引張り溝が設置され、前記収縮溝の下側には前記回転板の下端面と噛み合った伝動装置が設置され、
前記杖支柱の下端には左右対称の回転溝が設置され、前記回転溝の中には回転軸によって支持回転ブロックが回転可能に設置され、前記回転溝と前記伝動装置とは伝動可能に連結され、前記支持回転ブロックにはロック溝が設置され、前記ロック溝と前記伝動装置とが引掛ることで、前記支持回転ブロックの位置を固定でき、
前記杖支柱の下端面にはローラ回転ブロックが回転可能に設置され、前記ローラ回転ブロックの中にはローラ溝が設置され、前記ローラ溝の中には前後対称のローラが回転可能に設置され、
前記支持回転ブロックの下端面と地面とは接触しており、使用者が手で前記杖支柱を動かして歩き、前記回転板が相対回転し水平状態になる時に、左右側の前記回転板は連結され、前記伝動装置によって前記支持回転ブロックを回転させ、それにより、前記ローラの下端は地面と接触し、前記ローラの回転によって前記杖支柱の移動を連動させることを特徴とする整骨科医療用松葉杖。
【請求項２】
前記支持回転ブロックの下端面には滑り止めマットが固定的に設置され、前記滑り止めマットが地面と当接することで、杖に滑り止め効果を与えられ、前記ローラは未使用の時に、前記ローラは左右の前記支持回転ブロックの中に収納され、前記推動溝は水平状態にあるように設置され、初期状態での前記連結溝と互いに垂直であり、前記回転板が回転し水平状態になる時に、前記引掛りブロックは前記連結溝の中に伸びられることを特徴とする請求項１に記載の整骨科医療用松葉杖。
【請求項３】
前記伝動装置は二つの前記杖支柱の中にそれぞれ設置された昇降溝を含み、
前記昇降溝の上側には連通溝が連通するように設置され、前記連通溝の中には昇降ラックがスライド可能に設置され、前記昇降ラックのうち互いに近寄る端には前記昇降ラックを復位させることができる復位部品が固定的に設置され、前記連通溝と前記収縮溝との間には伝動溝が連通するように設置され、前記昇降ラックの上端は前記伝動溝の中に伸びており、前記伝動溝の中には前記回転板の下端と噛み合った伝動歯車が回転可能に設置され、前記伝動歯車のうち互いに離れた端と前記昇降ラックとは噛み合っており、
前記昇降溝の中には昇降ブロックが設置され、前記昇降ブロックの上端面と前記昇降ラックの下端とは固定的に連結され、前記昇降ブロックの下端には固定ラックが固定的に設置され、
前記昇降溝の下端壁の中には凹溝が連通するように設置され、前記凹溝のうち互いに近寄る端壁の中には心軸によって噛合歯車が回転可能に設置され、前記噛合歯車と前記固定ラックとは噛み合えるに連結され、
前記昇降溝の下側には連動装置が設置され、前記連動装置は前記心軸と前記支持回転ブロックと伝動可能に連結され、
前記昇降溝の左右側にはスライド溝が連通するように設置され、前記スライド溝の中には前記昇降ブロックと当接できる推動ブロックがスライド可能に設置され、前記推動ブロックのうち前記昇降溝から離れた端と前記スライド溝との間には回転ばねが固定的に設置され、前記スライド溝と前記回転溝との間には連結チャンバが連通するように設置され、前記連結チャンバの中には昇降引掛りブロックがスライド可能に設置され、前記昇降引掛りブロックの中には貫通溝が設置され、前記貫通溝と前記推動ブロックとは当接しており、前記昇降引掛りブロックの上端と前記連結チャンバとの間には復位ばねが固定的に設置され、前記昇降引掛りブロックの下端と前記ロック溝とが引掛ることで、前記支持回転ブロックの位置を固定できることを特徴とする請求項１に記載の整骨科医療用松葉杖。
【請求項４】
前記昇降ブロックの下端面には左右対称の当接加力斜面が設置され、前記推動ブロックのうち前記昇降溝に近接した端面には当接受力斜面が設置され、前記当接加力斜面と前記当接受力斜面との傾斜角度は同じであることを特徴とする請求項１又は請求項３に記載の整骨科医療用松葉杖。
【請求項５】
前記連動装置は二つの前記杖支柱にそれぞれ設置された噛合チャンバを含み、前記噛合チャンバと前記回転溝とは連通しており、
外側の前記回転軸の後端が前記噛合チャンバの中に伸びており、且つ外側の前記回転軸の後端には平歯車が固定的に設置され、前記平歯車のうち二つの前記杖支柱の対称中心に近接した端には回転歯車が噛み合うように連結され、
前記心軸の後端は前記噛合チャンバの中に伸びており、且つ前記回転歯車と固定的に連結され、前記心軸の前端と前記固定ラックから離れた側にある前記回転軸とはベルトによって伝動可能に連結されていることを特徴とする請求項３に記載の整骨科医療用松葉杖。
【発明の詳細な説明】
【技術分野】
【０００１】
本発明は医療機器技術分野を取り上げ、具体的には整骨科医療用松葉杖である。
【背景技術】
【０００２】
伝統的な松葉杖は機能が単一で、患者は怪我具合に合わせて異なる杖を選んでリハビリに輔助する必要があり、また、異なる環境で異なる杖を選ぶ必要もある。そのため、使用対象と使用空間が限定されている。さらに、杖を利用する時に、杖に凭れ掛かって、休憩を取ることができないし、利用者の負担を軽減することもできない。本発明は上記の問題を解決できる装置である。
【先行技術文献】
【特許文献】
【０００３】
【特許文献１】中国特許出願公開第１０９７１８０６８号明細書
【発明の概要】
【発明が解決しようとする課題】
【０００４】
本発明は整骨科医療用松葉杖を提供し、既存技術にある上記の欠点を解消することを目的とする。
【課題を解決するための手段】
【０００５】
本発明の整骨科医療用松葉杖は、左右対称の杖支柱を含み、前記杖支柱の上端面には脇下受圧ブロックが固定的に設置され、前記脇下受圧ブロックには棉クッションが固定的に設置され、前記杖支柱のうち互いに離れた端面の中には手持ち溝が設置され、前記手持ち溝の中には取っ手が設置され、前記手持ち溝のうち互いに近寄る側には収縮溝が設置され、前記収縮溝の中には固定軸が固定的に設置され、前記固定軸の中には前方に開口した圧迫溝が設置され、前記圧迫溝の中には圧迫ブロックがスライド可能に設置され、前記圧迫ブロックの後端と前記圧迫溝との間には圧迫ばねが固定的に設置され、前記圧迫溝のうち前記手持ち溝に近接した側の端壁の中には前後対称の推動溝が連通するように設置され、前記推動溝の中には引掛りブロックがスライド可能に設置され、前記引掛りブロックのうち前記手持ち溝に近接した端と前記推動溝との間には伸縮ばねが固定的に設置され、前記引掛りブロックには当接溝が設置され、前記当接溝と前記圧迫ブロックとは当接しており、前記固定軸には回転板が回転可能に、且つ嵌め込むように設置され、前記回転板のうち互いに離れた端と前記収縮溝の中の端壁との間には捻りばねが固定的に設置され、前記回転板の中には前後対称の連結溝が設置され、左側の二つの前記連結溝の中には連結スライドブロックがスライド可能に設置され、前記連結スライドブロックの一端には前記連結スライドブロックを復位させることができる復位ユニットが固定的に設置され、前記回転板のうち互いに近寄る端面の中には引張り溝が設置され、前記収縮溝の下側には前記回転板の下端面と噛み合った伝動装置が設置され、前記杖支柱の下端には左右対称の回転溝が設置され、前記回転溝の中には回転軸によって支持回転ブロックが回転可能に設置され、前記回転溝と前記伝動装置とは伝動可能に連結され、前記支持回転ブロックにはロック溝が設置され、前記ロック溝と前記伝動装置とが引掛ることで、前記支持回転ブロックの位置を固定でき、前記杖支柱の下端面にはローラ回転ブロックが回転可能に設置され、前記ローラ回転ブロックの中にはローラ溝が設置され、前記ローラ溝の中には前後対称のローラが回転可能に設置され、
前記支持回転ブロックの下端面と地面とは接触しており、使用者が手で前記杖支柱を動かして歩き、前記回転板が相対回転し水平状態になる時に、左右側の前記回転板は連結され、前記伝動装置によって前記支持回転ブロックを回転させ、それにより、前記ローラの下端は地面と接触し、前記ローラの回転によって前記杖支柱の移動を連動させる。
【０００６】
さらなる技術プランとして、前記支持回転ブロックの下端面には滑り止めマットが固定的に設置され、前記滑り止めマットが地面と当接することで、杖に滑り止め効果を与えられ、前記ローラは未使用の時に、前記ローラは左右の前記支持回転ブロックの中に収納され、前記推動溝は水平状態にあるように設置され、初期状態での前記連結溝と互いに垂直であり、前記回転板が回転し水平状態になる時に、前記引掛りブロックは前記連結溝の中に伸びられ、二つの前記回転板を連結させることができる。
【０００７】
さらなる技術プランとして、前記伝動装置は二つの前記杖支柱の中にそれぞれ設置された昇降溝を含み、前記昇降溝の上側には連通溝が連通するように設置され、前記連通溝の中には昇降ラックがスライド可能に設置され、前記昇降ラックのうち互いに近寄る端には前記昇降ラックを復位させることができる復位部品が固定的に設置され、前記連通溝と前記収縮溝との間には伝動溝が連通するように設置され、前記昇降ラックの上端は前記伝動溝の中に伸びており、前記伝動溝の中には前記回転板の下端と噛み合った伝動歯車が回転可能に設置され、前記伝動歯車のうち互いに離れた端と前記昇降ラックとは噛み合っており、前記昇降溝の中には昇降ブロックが設置され、前記昇降ブロックの上端面と前記昇降ラックの下端とは固定的に連結され、前記昇降ブロックの下端には固定ラックが固定的に設置され、前記昇降溝の下端壁の中には凹溝が連通するように設置され、前記凹溝のうち互いに近寄る端壁の中には心軸によって噛合歯車が回転可能に設置され、前記噛合歯車と前記固定ラックとは噛み合えるに連結され、前記昇降溝の下側には連動装置が設置され、前記連動装置は前記心軸と前記支持回転ブロックと伝動可能に連結され、前記昇降溝の左右側にはスライド溝が連通するように設置され、前記スライド溝の中には前記昇降ブロックと当接できる推動ブロックがスライド可能に設置され、前記推動ブロックのうち前記昇降溝から離れた端と前記スライド溝との間には回転ばねが固定的に設置され、前記スライド溝と前記回転溝との間には連結チャンバが連通するように設置され、前記連結チャンバの中には昇降引掛りブロックがスライド可能に設置され、前記昇降引掛りブロックの中には貫通溝が設置され、前記貫通溝と前記推動ブロックとは当接しており、前記昇降引掛りブロックの上端と前記連結チャンバとの間には復位ばねが固定的に設置され、前記昇降引掛りブロックの下端と前記ロック溝とが引掛ることで、前記支持回転ブロックの位置を固定でき、
前記回転板は回転し、伝動により、前記昇降ブロックは降下し前記推動ブロックを圧迫し外側に移動させ、それにより、前記昇降引掛りブロックは上昇し前記ロック溝から離脱し、そして前記支持回転ブロックは自在に回転できる。
【０００８】
さらなる技術プランとして、前記昇降ブロックの下端面には左右対称の当接加力斜面が設置され、前記推動ブロックのうち前記昇降溝に近接した端面には当接受力斜面が設置され、前記当接加力斜面と前記当接受力斜面との傾斜角度は同じであり、前記連結溝は降下する時に前記推動ブロックを押して前記スライド溝の中に移動させることができる。
【０００９】
さらなる技術プランとして、前記連動装置は二つの前記杖支柱にそれぞれ設置された噛合チャンバを含み、前記噛合チャンバと前記回転溝とは連通しており、外側の前記回転軸の後端が前記噛合チャンバの中に伸びており、且つ外側の前記回転軸の後端には平歯車が固定的に設置され、前記平歯車のうち二つの前記杖支柱の対称中心に近接した端には回転歯車が噛み合うように連結され、前記心軸の後端は前記噛合チャンバの中に伸びており、且つ前記回転歯車と固定的に連結され、前記心軸の前端と前記固定ラックから離れた側にある前記回転軸とはベルトによって伝動可能に連結され、
前記固定ラックの昇降によって前記噛合歯車は回転し、それにより、前記回転軸は前記支持回転ブロックを連動させ、前記支持回転ブロックに同期的に逆回転させ、ローラを降下させて地面と当接させる。
【発明の効果】
【００１０】
本発明のメリットは：本発明の整骨科医療用松葉杖は二つの使用方法を有し、一つは脇下に置いて松葉杖として利用でき、使用者自身の力で杖の移動を連動させ、もう一つは、ローラの回転移動で患者の歩行を輔助でき、使用範囲が広く、異なる整骨科患者の需要を満たし、且つ操作に便利である。
【図面の簡単な説明】
【００１１】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の整骨科医療用松葉杖の全体構成略図
【図２】図２は図１におけるＡの拡大構成略図
【図３】図３は図１におけるＢ―Ｂ方向からの構成略図
【図４】図４は図３におけるＣの拡大構成略図
【図５】図５は図１におけるＤの拡大構成略図
【図６】図６は図５におけるＥの拡大構成略図
【図７】図７は図５におけるＦ―Ｆ方向からの構成略図
【発明を実施するための形態】
【００１３】
図１〜７を参照し、本発明の整骨科医療用松葉杖は、左右対称の杖支柱１０を含み、前記杖支柱１０の上端面には脇下受圧ブロック１１が固定的に設置され、前記脇下受圧ブロック１１には棉クッション１２が固定的に設置され、前記杖支柱１０のうち互いに離れた端面の中には手持ち溝１３が設置され、前記手持ち溝１３の中には取っ手１４が設置され、前記手持ち溝１３のうち互いに近寄る側には収縮溝１５が設置され、前記収縮溝１５の中には固定軸１６が固定的に設置され、前記固定軸１６の中には前方に開口した圧迫溝１９が設置され、前記圧迫溝１９の中には圧迫ブロック２０がスライド可能に設置され、前記圧迫ブロック２０の後端と前記圧迫溝１９との間には圧迫ばね２１が固定的に設置され、前記圧迫溝１９のうち前記手持ち溝１３に近接した側の端壁の中には前後対称の推動溝２２が連通するように設置され、前記推動溝２２の中には引掛りブロック２３がスライド可能に設置され、前記引掛りブロック２３のうち前記手持ち溝１３に近接した端と前記推動溝２２との間には伸縮ばね２４が固定的に設置され、前記引掛りブロック２３には当接溝２５が設置され、前記当接溝２５と前記圧迫ブロック２０とは当接しており、前記固定軸１６には回転板１７が回転可能に、且つ嵌め込むように設置され、前記回転板１７のうち互いに離れた端と前記収縮溝１５の中の端壁との間には捻りばね２９が固定的に設置され、前記回転板１７の中には前後対称の連結溝２６が設置され、左側の二つの前記連結溝２６の中には連結スライドブロック２７がスライド可能に設置され、前記連結スライドブロック２７の一端には前記連結スライドブロック２７を復位させることができる復位ユニット２８が固定的に設置され、前記回転板１７のうち互いに近寄る端面の中には引張り溝１８が設置され、前記収縮溝１５の下側には前記回転板１７の下端面と噛み合った伝動装置１００が設置され、前記杖支柱１０の下端には左右対称の回転溝４５が設置され、前記回転溝４５の中には回転軸５６によって支持回転ブロック４６が回転可能に設置され、前記回転溝４５と前記伝動装置１００とは伝動可能に連結され、前記支持回転ブロック４６にはロック溝４７が設置され、前記ロック溝４７と前記伝動装置１００とが引掛ることで、前記支持回転ブロック４６の位置を固定でき、前記杖支柱１０の下端面にはローラ回転ブロック５２が回転可能に設置され、前記ローラ回転ブロック５２の中にはローラ溝５３が設置され、前記ローラ溝５３の中には前後対称のローラ５４が回転可能に設置され、
前記支持回転ブロック４６の下端面と地面とは接触しており、使用者が手で前記杖支柱１０を動かして歩き、前記回転板１７が相対回転し水平状態になる時に、左右側の前記回転板１７は連結され、前記伝動装置１００によって前記支持回転ブロック４６を回転させ、それにより、前記ローラ５４の下端は地面と接触し、前記ローラ５４の回転によって前記杖支柱１０の移動を連動させる。
【００１４】
好ましくは、前記支持回転ブロック４６の下端面には滑り止めマット５５が固定的に設置され、前記滑り止めマット５５が地面と当接することで、杖に滑り止め効果を与えられ、前記ローラ５４は未使用の時に、前記ローラ５４は左右の前記支持回転ブロック４６の中に収納され、前記推動溝２２は水平状態にあるように設置され、初期状態での前記連結溝２６と互いに垂直であり、前記回転板１７が回転し水平状態になる時に、前記引掛りブロック２３は前記連結溝２６の中に伸びられ、二つの前記回転板１７を連結させることができる。
【００１５】
好ましくは、前記伝動装置１００は二つの前記杖支柱１０の中にそれぞれ設置された昇降溝３５を含み、前記昇降溝３５の上側には連通溝３３が連通するように設置され、前記連通溝３３の中には昇降ラック３２がスライド可能に設置され、前記昇降ラック３２のうち互いに近寄る端には前記昇降ラック３２を復位させることができる復位部品３４が固定的に設置され、前記連通溝３３と前記収縮溝１５との間には伝動溝３０が連通するように設置され、前記昇降ラック３２の上端は前記伝動溝３０の中に伸びており、前記伝動溝３０の中には前記回転板１７の下端と噛み合った伝動歯車３１が回転可能に設置され、前記伝動歯車３１のうち互いに離れた端と前記昇降ラック３２とは噛み合っており、前記昇降溝３５の中には昇降ブロック３６が設置され、前記昇降ブロック３６の上端面と前記昇降ラック３２の下端とは固定的に連結され、前記昇降ブロック３６の下端には固定ラック３７が固定的に設置され、前記昇降溝３５の下端壁の中には凹溝５１が連通するように設置され、前記凹溝５１のうち互いに近寄る端壁の中には心軸５０によって噛合歯車４９が回転可能に設置され、前記噛合歯車４９と前記固定ラック３７とは噛み合えるに連結され、前記昇降溝３５の下側には連動装置２００が設置され、前記連動装置２００は前記心軸５０と前記支持回転ブロック４６と伝動可能に連結され、前記昇降溝３５の左右側にはスライド溝３８が連通するように設置され、前記スライド溝３８の中には前記昇降ブロック３６と当接できる推動ブロック３９がスライド可能に設置され、前記推動ブロック３９のうち前記昇降溝３５から離れた端と前記スライド溝３８との間には回転ばね４０が固定的に設置され、前記スライド溝３８と前記回転溝４５との間には連結チャンバ４１が連通するように設置され、前記連結チャンバ４１の中には昇降引掛りブロック４２がスライド可能に設置され、前記昇降引掛りブロック４２の中には貫通溝４４が設置され、前記貫通溝４４と前記推動ブロック３９とは当接しており、前記昇降引掛りブロック４２の上端と前記連結チャンバ４１との間には復位ばね４３が固定的に設置され、前記昇降引掛りブロック４２の下端と前記ロック溝４７とが引掛ることで、前記支持回転ブロック４６の位置を固定でき、
前記回転板１７は回転し、伝動により、前記昇降ブロック３６は降下し前記推動ブロック３９を圧迫し外側に移動させ、それにより、前記昇降引掛りブロック４２は上昇し前記ロック溝４７から離脱し、そして前記支持回転ブロック４６は自在に回転できる。
【００１６】
好ましくは、前記昇降ブロック３６の下端面には左右対称の当接加力斜面が設置され、前記推動ブロック３９のうち前記昇降溝３５に近接した端面には当接受力斜面が設置され、前記当接加力斜面と前記当接受力斜面との傾斜角度は同じであり、前記連結溝２６は降下する時に前記推動ブロック３９を押して前記スライド溝３８の中に移動させることができる。  
【００１７】
好ましくは、前記連動装置２００は二つの前記杖支柱１０にそれぞれ設置された噛合チャンバ５８を含み、前記噛合チャンバ５８と前記回転溝４５とは連通しており、外側の前記回転軸５６の後端が前記噛合チャンバ５８の中に伸びており、且つ外側の前記回転軸５６の後端には平歯車５７が固定的に設置され、前記平歯車５７のうち二つの前記杖支柱１０の対称中心に近接した端には回転歯車５９が噛み合うように連結され、前記心軸５０の後端は前記噛合チャンバ５８の中に伸びており、且つ前記回転歯車５９と固定的に連結され、前記心軸５０の前端と前記固定ラック３７から離れた側にある前記回転軸５６とはベルト６１によって伝動可能に連結され、
前記固定ラック３７の昇降によって前記噛合歯車４９は回転し、それにより、前記回転軸５６は前記支持回転ブロック４６を連動させ、前記支持回転ブロックに同期的に逆回転させ、ローラ５４を降下させて地面と当接させる。
【００１８】
下記に、附図を合わせて、本発明の使用手順を詳しく説明する：
【００１９】
初期状態で、滑り止めマット５５と地面とは接触しており、昇降引掛りブロック４２とロック溝４７とは引っ掛るように連結され、それにより、支持回転ブロック４６の位置は固定され、杖支柱１０を支持でき、回転板１７は収縮溝１５の中に収納され、伸縮ばね２４は圧縮状態にあり、杖支柱１０を患者の脇下に置くことができ、棉クッション１２と脇下とは当接し、両手はそれぞれ取っ手１４をつかみ、手で杖支柱１０を動かして移動することができ、それにより、患者の歩行を支える。
【００２０】
ローラ５４を利用する時に、引張り溝１８を引き動かし、回転板１７を相対回転させて水平状態にさせ、引掛りブロック２３は伸縮ばね２４によって移動し、引掛りブロック２３は連結溝２６の中に伸び、回転板１７と固定軸１６とを固定的に連結させ、左側の引掛りブロック２３は連結スライドブロック２７を押して右側の連結溝２６の中に移動させ、左右の回転板１７を連結させ、回転板１７が回転する時に、伝動歯車３１は回転し、昇降ラック３２を降下させ、それにより、昇降ブロック３６は降下し、且つ推動ブロック３９を圧迫しスライド溝３８の中に移動させ、そして、昇降引掛りブロック４２は上昇しロック溝４７から離脱し、昇降ブロック３６の降下とともに、固定ラック３７と噛合歯車４９とは噛み合い、噛合歯車４９を回転させ、伝動により、杖支柱１０にある左右側の支持回転ブロック４６を同期的に逆回転させ、それにより、杖支柱１０は降下し、ローラ５４と地面とを当接させる。
【００２１】
使用時に、杖支柱１０は回転板１７によって連結された後、安定性を有し、患者は回転板１７に支えられ、ローラ５４の回転によって杖支柱１０の前進を連動させることができ、患者自身の施す力を軽減する。
【００２２】
本発明のメリットは：本発明の整骨科医療用松葉杖は二つの使用方法を有し、一つは脇下に置いて松葉杖として利用でき、使用者自身の力で杖の移動を連動させ、もう一つは、ローラの回転移動で患者の歩行を輔助でき、使用範囲が広く、異なる整骨科患者の需要を満たし、且つ操作に便利である。
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182807.tif 000003
【図２】
2020182807.tif 000004
【図３】
2020182807.tif 000005
【図４】
2020182807.tif 000006
【図５】
2020182807.tif 000007
【図６】
2020182807.tif 000008
【図７】
2020182807.tif 000009
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
正面視で、左右対称の杖支柱を含み、前記杖支柱の上端面には脇下受圧ブロックが固定的に設置され、前記脇下受圧ブロックには棉クッションが固定的に設置され、左右の前記杖支柱において左右の前記杖支柱の対称中心から離れた端面の中には手持ち溝が設置され、前記手持ち溝の中には取っ手が設置され、左右の前記手持ち溝において左右の前記手持ち溝の対称中心に近接する側には収縮溝が設置され、前記収縮溝の前後端壁の間には固定軸が固定的に設置され、前記固定軸の中には前方に開口した圧迫溝が設置され、前記圧迫溝の中には圧迫ブロックがスライド可能に設置され、前記圧迫ブロックの後端と前記圧迫溝との間には圧迫ばねが固定的に設置され、前記圧迫溝のうち前記手持ち溝に近接した側の端壁の中には前後対称の推動溝が連通するように設置され、前記推動溝の中には引掛りブロックがスライド可能に設置され、前記引掛りブロックのうち前記手持ち溝に近接した端と前記推動溝との間には伸縮ばねが固定的に設置され、前記引掛りブロックには当接溝が設置され、前記当接溝と前記圧迫ブロックとは当接しており、前記固定軸には回転板が回転可能に、且つ嵌め込むように設置され、左右の前記回転板において左右の前記回転板の対称中心から離れた一端と前記収縮溝において前記収縮溝の対称中心から離れた端壁との間には捻りばねが固定的に設置され、前記回転板の中には前後対称の連結溝が設置され、左側の二つの前記連結溝の中には連結スライドブロックがスライド可能に設置され、前記連結スライドブロックの一端には前記連結スライドブロックを復位させることができる復位ユニットが固定的に設置され、左右の前記回転板において左右の前記回転板の対称中心に近接する端面の中には引張り溝が設置され、前記収縮溝の下側には前記回転板の下端面と噛み合った伝動装置が設置され、前記杖支柱の下端には左右対称の回転溝が設置され、前記回転溝の中には回転軸によって支持回転ブロックが回転可能に設置され、前記回転溝と前記伝動装置とは伝動可能に連結され、前記支持回転ブロックにはロック溝が設置され、前記ロック溝と前記伝動装置とが引掛ることで、前記支持回転ブロックの位置を固定でき、前記杖支柱の下端面にはローラ回転ブロックが回転可能に設置され、前記ローラ回転ブロックの中にはローラ溝が設置され、前記ローラ溝の中には前後対称のローラが回転可能に設置され、前記支持回転ブロックの下端面と地面とは接触しており、使用者が手で前記杖支柱を動かして歩き、前記回転板が相対回転し水平状態になる時に、左右側の前記回転板は連結され、前記伝動装置によって前記支持回転ブロックを回転させ、それにより、前記ローラの下端は地面と接触し、前記ローラの回転によって前記杖支柱の移動を連動させ、 
前記支持回転ブロックの下端面には滑り止めマットが固定的に設置され、前記滑り止めマットが地面と当接することで、杖に滑り止め効果を与えられ、前記ローラは未使用の時に、前記ローラは左右の前記支持回転ブロックの中に収納され、前記推動溝は水平状態にあるように設置され、初期状態での前記連結溝と互いに垂直であり、前記回転板が回転して水平状態になる時に、前記引掛りブロックは前記伸縮ばねの弾性回復力により前記連結溝の中に伸びられ、 
前記伝動装置は二つの前記杖支柱の中にそれぞれ設置された昇降溝を含み、前記昇降溝の上側には連通溝が連通するように設置され、前記連通溝の中には昇降ラックがスライド可能に設置され、左右の前記昇降ラックにおいて左右の前記昇降ラックの対称中心に近接する一端には前記昇降ラックを復位させることができる復位部品が固定的に設置され、前記連通溝と前記収縮溝との間には伝動溝が連通するように設置され、前記昇降ラックの上端は前記伝動溝の中に伸びており、前記伝動溝の中には前記回転板の下端と噛み合った伝動歯車が回転可能に設置され、左右の前記伝動歯車において左右の前記伝動歯車の対称中心から離れた一端と前記昇降ラックとが噛み合っており、前記昇降溝の中には昇降ブロックが設置され、前記昇降ブロックの上端面と前記昇降ラックの下端とは固定的に連結され、前記昇降ブロックの下端には固定ラックが固定的に設置され、前記昇降溝の下端壁の中には凹溝が連通するように設置され、左右両側の前記凹溝において互いに近接する端壁の中には心軸によって噛合歯車が回転可能に設置され、前記噛合歯車と前記固定ラックとは噛み合えるに連結され、前記昇降溝の下側には連動装置が設置され、前記連動装置は前記心軸と前記支持回転ブロックと伝動可能に連結され、前記昇降溝の左右側にはスライド溝が連通するように設置され、前記スライド溝の中には前記昇降ブロックと当接できる推動ブロックがスライド可能に設置され、前記推動ブロックのうち前記昇降溝から離れた端と前記スライド溝との間には回転ばねが固定的に設置され、前記スライド溝と前記回転溝との間には連結チャンバが連通するように設置され、前記連結チャンバの中には昇降引掛りブロックがスライド可能に設置され、前記昇降引掛りブロックの中には貫通溝が設置され、前記貫通溝と前記推動ブロックとは当接しており、前記昇降引掛りブロックの上端と前記連結チャンバとの間には復位ばねが固定的に設置され、前記昇降引掛りブロックの下端と前記ロック溝とが引掛ることで、前記支持回転ブロックの位置を固定でき、 
前記昇降ブロックの下端面には左右対称の当接加力斜面が設置され、前記推動ブロックのうち前記昇降溝に近接した端面には当接受力斜面が設置され、前記当接加力斜面と前記当接受力斜面との傾斜角度は同じであり、
前記連動装置は二つの前記杖支柱にそれぞれ設置された噛合チャンバを含み、前記噛合チャンバと前記回転溝とは連通しており、外側の前記回転軸の後端が前記噛合チャンバの中に伸びており、且つ外側の前記回転軸の後端には平歯車が固定的に設置され、左右両側の前記平歯車において互いに近接する一端には回転歯車が噛み合うように連結され、前記心軸の後端は前記噛合チャンバの中に伸びており、且つ前記回転歯車と固定的に連結され、前記心軸の前端と前記固定ラックから離れた側にある前記回転軸の前端とはベルトによって伝動可能に連結されていることを特徴とする整骨科医療用松葉杖。
【手続補正２】
【補正対象書類名】明細書
【補正対象項目名】全文
【補正方法】変更
【補正の内容】
【発明の詳細な説明】
【技術分野】
【０００１】
本発明は医療機器技術分野を取り上げ、具体的には整骨科医療用松葉杖である。 
【背景技術】
【０００２】
伝統的な松葉杖は機能が単一で、患者は怪我具合に合わせて異なる杖を選んでリハビリに輔助する必要があり、また、異なる環境で異なる杖を選ぶ必要もある。そのため、使用対象と使用空間が限定されている。さらに、杖を利用する時に、杖に凭れ掛かって、休憩を取ることができないし、利用者の負担を軽減することもできない。本発明は上記の問題を解決できる装置である。 
【先行技術文献】
【特許文献】
【０００３】
【特許文献１】中国特許出願公開第１０９７１８０６８号明細書
【発明の概要】
【発明が解決しようとする課題】
【０００４】
本発明は整骨科医療用松葉杖を提供し、既存技術にある上記の欠点を解消することを目的とする。 
【課題を解決するための手段】
【０００５】
本発明の整骨科医療用松葉杖は、左右対称の杖支柱を含み、前記杖支柱の上端面には脇下受圧ブロックが固定的に設置され、前記脇下受圧ブロックには棉クッションが固定的に設置され、左右の前記杖支柱において左右の前記杖支柱の対称中心から離れた端面の中には手持ち溝が設置され、前記手持ち溝の中には取っ手が設置され、左右の前記手持ち溝において左右の前記手持ち溝の対称中心に近接する側には収縮溝が設置され、 
前記収縮溝の前後端壁の間には固定軸が固定的に設置され、前記固定軸の中には前方に開口した圧迫溝が設置され、前記圧迫溝の中には圧迫ブロックがスライド可能に設置され、前記圧迫ブロックの後端と前記圧迫溝との間には圧迫ばねが固定的に設置され、前記圧迫溝のうち前記手持ち溝に近接した側の端壁の中には前後対称の推動溝が連通するように設置され、前記推動溝の中には引掛りブロックがスライド可能に設置され、前記引掛りブロックのうち前記手持ち溝に近接した端と前記推動溝との間には伸縮ばねが固定的に設置され、前記引掛りブロックには当接溝が設置され、前記当接溝と前記圧迫ブロックとは当接しており、 
前記固定軸には回転板が回転可能に、且つ嵌め込むように設置され、左右の前記回転板において左右の前記回転板の対称中心から離れた一端と前記収縮溝において前記収縮溝の対称中心から離れた端壁との間には捻りばねが固定的に設置され、前記回転板の中には前後対称の連結溝が設置され、左側の二つの前記連結溝の中には連結スライドブロックがスライド可能に設置され、前記連結スライドブロックの一端には前記連結スライドブロックを復位させることができる復位ユニットが固定的に設置され、左右の前記回転板において左右の前記回転板の対称中心に近接する端面の中には引張り溝が設置され、前記収縮溝の下側には前記回転板の下端面と噛み合った伝動装置が設置され、前記杖支柱の下端には左右対称の回転溝が設置され、前記回転溝の中には回転軸によって支持回転ブロックが回転可能に設置され、前記回転溝と前記伝動装置とは伝動可能に連結され、前記支持回転ブロックにはロック溝が設置され、前記ロック溝と前記伝動装置とが引掛ることで、前記支持回転ブロックの位置を固定でき、前記杖支柱の下端面にはローラ回転ブロックが回転可能に設置され、前記ローラ回転ブロックの中にはローラ溝が設置され、前記ローラ溝の中には前後対称のローラが回転可能に設置され、 
前記支持回転ブロックの下端面と地面とは接触しており、使用者が手で前記杖支柱を動かして歩き、前記回転板が相対回転し水平状態になる時に、左右側の前記回転板は連結され、前記伝動装置によって前記支持回転ブロックを回転させ、それにより、前記ローラの下端は地面と接触し、前記ローラの回転によって前記杖支柱の移動を連動させる。 
【０００６】
さらなる技術プランとして、前記支持回転ブロックの下端面には滑り止めマットが固定的に設置され、前記滑り止めマットが地面と当接することで、杖に滑り止め効果を与えられ、前記ローラは未使用の時に、前記ローラは左右の前記支持回転ブロックの中に収納され、前記推動溝は水平状態にあるように設置され、初期状態での前記連結溝と互いに垂直であり、前記回転板が回転して水平状態になる時に、前記引掛りブロックは前記伸縮ばねの弾性回復力により前記連結溝の中に伸びられ、二つの前記回転板を連結させることができる。 
【０００７】
さらなる技術プランとして、前記伝動装置は二つの前記杖支柱の中にそれぞれ設置された昇降溝を含み、前記昇降溝の上側には連通溝が連通するように設置され、前記連通溝の中には昇降ラックがスライド可能に設置され、左右の前記昇降ラックにおいて左右の前記昇降ラックの対称中心に近接する一端には前記昇降ラックを復位させることができる復位部品が固定的に設置され、前記連通溝と前記収縮溝との間には伝動溝が連通するように設置され、前記昇降ラックの上端は前記伝動溝の中に伸びており、前記伝動溝の中には前記回転板の下端と噛み合った伝動歯車が回転可能に設置され、左右の前記伝動歯車において左右の前記伝動歯車の対称中心から離れた一端と前記昇降ラックとが噛み合っており、前記昇降溝の中には昇降ブロックが設置され、前記昇降ブロックの上端面と前記昇降ラックの下端とは固定的に連結され、前記昇降ブロックの下端には固定ラックが固定的に設置され、前記昇降溝の下端壁の中には凹溝が連通するように設置され、左右両側の前記凹溝において互いに近接する端壁の中には心軸によって噛合歯車が回転可能に設置され、前記噛合歯車と前記固定ラックとは噛み合えるに連結され、前記昇降溝の下側には連動装置が設置され、前記連動装置は前記心軸と前記支持回転ブロックと伝動可能に連結され、前記昇降溝の左右側にはスライド溝が連通するように設置され、前記スライド溝の中には前記昇降ブロックと当接できる推動ブロックがスライド可能に設置され、前記推動ブロックのうち前記昇降溝から離れた端と前記スライド溝との間には回転ばねが固定的に設置され、前記スライド溝と前記回転溝との間には連結チャンバが連通するように設置され、前記連結チャンバの中には昇降引掛りブロックがスライド可能に設置され、前記昇降引掛りブロックの中には貫通溝が設置され、前記貫通溝と前記推動ブロックとは当接しており、前記昇降引掛りブロックの上端と前記連結チャンバとの間には復位ばねが固定的に設置され、前記昇降引掛りブロックの下端と前記ロック溝とが引掛ることで、前記支持回転ブロックの位置を固定でき、 
前記回転板は回転し、伝動により、前記昇降ブロックは降下し前記推動ブロックを圧迫し外側に移動させ、それにより、前記昇降引掛りブロックは上昇し前記ロック溝から離脱し、そして前記支持回転ブロックは自在に回転できる。 
【０００８】
さらなる技術プランとして、前記昇降ブロックの下端面には左右対称の当接加力斜面が設置され、前記推動ブロックのうち前記昇降溝に近接した端面には当接受力斜面が設置され、前記当接加力斜面と前記当接受力斜面との傾斜角度は同じであり、前記連結溝は降下する時に前記推動ブロックを押して前記スライド溝の中に移動させることができる。 
【０００９】
さらなる技術プランとして、前記連動装置は二つの前記杖支柱にそれぞれ設置された噛合チャンバを含み、前記噛合チャンバと前記回転溝とは連通しており、外側の前記回転軸の後端が前記噛合チャンバの中に伸びており、且つ外側の前記回転軸の後端には平歯車が固定的に設置され、左右両側の前記平歯車において互いに近接する一端には回転歯車が噛み合うように連結され、前記心軸の後端は前記噛合チャンバの中に伸びており、且つ前記回転歯車と固定的に連結され、前記心軸の前端と前記固定ラックから離れた側にある前記回転軸の前端とはベルトによって伝動可能に連結され、 
前記固定ラックの昇降によって前記噛合歯車は回転し、それにより、前記回転軸は前記支持回転ブロックを連動させ、前記支持回転ブロックに同期的に逆回転させ、ローラを降下させて地面と当接させる。 
【発明の効果】
【００１０】
本発明のメリットは：本発明の整骨科医療用松葉杖は二つの使用方法を有し、一つは脇下に置いて松葉杖として利用でき、使用者自身の力で杖の移動を連動させ、もう一つは、ローラの回転移動で患者の歩行を輔助でき、使用範囲が広く、異なる整骨科患者の需要を満たし、且つ操作に便利である。 
【図面の簡単な説明】
【００１１】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１２】
【図１】図１は本発明の整骨科医療用松葉杖の全体構成略図
【図２】図２は図１におけるＡの拡大構成略図
【図３】図３は図１におけるＢ―Ｂ方向からの構成略図
【図４】図４は図３におけるＣの拡大構成略図
【図５】図５は図１におけるＤの拡大構成略図
【図６】図６は図５におけるＥの拡大構成略図
【図７】図７は図５におけるＦ―Ｆ方向からの構成略図
【発明を実施するための形態】
【００１３】
図１〜７を参照し、本発明の整骨科医療用松葉杖は、左右対称の杖支柱１０を含み、前記杖支柱１０の上端面には脇下受圧ブロック１１が固定的に設置され、前記脇下受圧ブロック１１には棉クッション１２が固定的に設置され、左右の前記杖支柱１０において左右の前記杖支柱１０の対称中心から離れた端面の中には手持ち溝１３が設置され、前記手持ち溝１３の中には取っ手１４が設置され、 
左右の前記手持ち溝１３において左右の前記手持ち溝１３の対称中心に近接する側には収縮溝１５が設置され、前記収縮溝１５の前後端壁の間には固定軸１６が固定的に設置され、前記固定軸１６の中には前方に開口した圧迫溝１９が設置され、前記圧迫溝１９の中には圧迫ブロック２０がスライド可能に設置され、前記圧迫ブロック２０の後端と前記圧迫溝１９との間には圧迫ばね２１が固定的に設置され、前記圧迫溝１９のうち前記手持ち溝１３に近接した側の端壁の中には前後対称の推動溝２２が連通するように設置され、前記推動溝２２の中には引掛りブロック２３がスライド可能に設置され、前記引掛りブロック２３のうち前記手持ち溝１３に近接した端と前記推動溝２２との間には伸縮ばね２４が固定的に設置され、前記引掛りブロック２３には当接溝２５が設置され、前記当接溝２５と前記圧迫ブロック２０とは当接しており、前記固定軸１６には回転板１７が回転可能に、且つ嵌め込むように設置され、左右の前記回転板１７において左右の前記回転板１７の対称中心から離れた一端と前記収縮溝１５において前記収縮溝１５の対称中心から離れた端壁との間には捻りばね２９が固定的に設置され、前記回転板１７の中には前後対称の連結溝２６が設置され、左側の二つの前記連結溝２６の中には連結スライドブロック２７がスライド可能に設置され、前記連結スライドブロック２７の一端には前記連結スライドブロック２７を復位させることができる復位ユニット２８が固定的に設置され、左右の前記回転板１７において左右の前記回転板１７の対称中心に近接する端面の中には引張り溝１８が設置され、前記収縮溝１５の下側には前記回転板１７の下端面と噛み合った伝動装置１００が設置され、前記杖支柱１０の下端には左右対称の回転溝４５が設置され、前記回転溝４５の中には回転軸５６によって支持回転ブロック４６が回転可能に設置され、前記回転溝４５と前記伝動装置１００とは伝動可能に連結され、前記支持回転ブロック４６にはロック溝４７が設置され、前記ロック溝４７と前記伝動装置１００とが引掛ることで、前記支持回転ブロック４６の位置を固定でき、前記杖支柱１０の下端面にはローラ回転ブロック５２が回転可能に設置され、前記ローラ回転ブロック５２の中にはローラ溝５３が設置され、前記ローラ溝５３の中には前後対称のローラ５４が回転可能に設置され、 
前記支持回転ブロック４６の下端面と地面とは接触しており、使用者が手で前記杖支柱１０を動かして歩き、前記回転板１７が相対回転し水平状態になる時に、左右側の前記回転板１７は連結され、前記伝動装置１００によって前記支持回転ブロック４６を回転させ、それにより、前記ローラ５４の下端は地面と接触し、前記ローラ５４の回転によって前記杖支柱１０の移動を連動させる。 
【００１４】
好ましくは、前記支持回転ブロック４６の下端面には滑り止めマット５５が固定的に設置され、前記滑り止めマット５５が地面と当接することで、杖に滑り止め効果を与えられ、前記ローラ５４は未使用の時に、前記ローラ５４は左右の前記支持回転ブロック４６の中に収納され、前記推動溝２２は水平状態にあるように設置され、初期状態での前記連結溝２６と互いに垂直であり、前記回転板１７が回転して水平状態になる時に、前記引掛りブロック２３は前記伸縮ばね２４の弾性回復力により前記連結溝２６の中に伸びられ、二つの前記回転板１７を連結させることができる。
【００１５】
好ましくは、前記伝動装置１００は二つの前記杖支柱１０の中にそれぞれ設置された昇降溝３５を含み、前記昇降溝３５の上側には連通溝３３が連通するように設置され、前記連通溝３３の中には昇降ラック３２がスライド可能に設置され、左右の前記昇降ラック３２において左右の前記昇降ラック３２の対称中心に近接する一端には前記昇降ラック３２を復位させることができる復位部品３４が固定的に設置され、前記連通溝３３と前記収縮溝１５との間には伝動溝３０が連通するように設置され、前記昇降ラック３２の上端は前記伝動溝３０の中に伸びており、前記伝動溝３０の中には前記回転板１７の下端と噛み合った伝動歯車３１が回転可能に設置され、左右の前記伝動歯車３１において左右の前記伝動歯車３１の対称中心から離れた一端と前記昇降ラック３２とが噛み合っており、前記昇降溝３５の中には昇降ブロック３６が設置され、前記昇降ブロック３６の上端面と前記昇降ラック３２の下端とは固定的に連結され、前記昇降ブロック３６の下端には固定ラック３７が固定的に設置され、前記昇降溝３５の下端壁の中には凹溝５１が連通するように設置され、左右両側の前記凹溝５１において互いに近接する端壁の中には心軸５０によって噛合歯車４９が回転可能に設置され、前記噛合歯車４９と前記固定ラック３７とは噛み合えるに連結され、前記昇降溝３５の下側には連動装置２００が設置され、前記連動装置２００は前記心軸５０と前記支持回転ブロック４６と伝動可能に連結され、前記昇降溝３５の左右側にはスライド溝３８が連通するように設置され、前記スライド溝３８の中には前記昇降ブロック３６と当接できる推動ブロック３９がスライド可能に設置され、前記推動ブロック３９のうち前記昇降溝３５から離れた端と前記スライド溝３８との間には回転ばね４０が固定的に設置され、前記スライド溝３８と前記回転溝４５との間には連結チャンバ４１が連通するように設置され、前記連結チャンバ４１の中には昇降引掛りブロック４２がスライド可能に設置され、前記昇降引掛りブロック４２の中には貫通溝４４が設置され、前記貫通溝４４と前記推動ブロック３９とは当接しており、前記昇降引掛りブロック４２の上端と前記連結チャンバ４１との間には復位ばね４３が固定的に設置され、前記昇降引掛りブロック４２の下端と前記ロック溝４７とが引掛ることで、前記支持回転ブロック４６の位置を固定でき、 
前記回転板１７は回転し、伝動により、前記昇降ブロック３６は降下し前記推動ブロック３９を圧迫し外側に移動させ、それにより、前記昇降引掛りブロック４２は上昇し前記ロック溝４７から離脱し、そして前記支持回転ブロック４６は自在に回転できる。 
【００１６】
好ましくは、前記昇降ブロック３６の下端面には左右対称の当接加力斜面が設置され、前記推動ブロック３９のうち前記昇降溝３５に近接した端面には当接受力斜面が設置され、 
前記当接加力斜面と前記当接受力斜面との傾斜角度は同じであり、前記連結溝２６は降下する時に前記推動ブロック３９を押して前記スライド溝３８の中に移動させることができる。
【００１７】
好ましくは、前記連動装置２００は二つの前記杖支柱１０にそれぞれ設置された噛合チャンバ５８を含み、前記噛合チャンバ５８と前記回転溝４５とは連通しており、外側の前記回転軸５６の後端が前記噛合チャンバ５８の中に伸びており、且つ外側の前記回転軸５６の後端には平歯車５７が固定的に設置され、左右両側の前記平歯車５７において互いに近接する一端には回転歯車５９が噛み合うように連結され、前記心軸５０の後端は前記噛合チャンバ５８の中に伸びており、且つ前記回転歯車５９と固定的に連結され、前記心軸５０の前端と前記固定ラック３７から離れた側にある前記回転軸５６の前端とはベルト６１によって伝動可能に連結され、 
前記固定ラック３７の昇降によって前記噛合歯車４９は回転し、それにより、前記回転軸５６は前記支持回転ブロック４６を連動させ、前記支持回転ブロックに同期的に逆回転させ、ローラ５４を降下させて地面と当接させる。 
【００１８】
下記に、附図を合わせて、本発明の使用手順を詳しく説明する： 
【００１９】
初期状態で、滑り止めマット５５と地面とは接触しており、昇降引掛りブロック４２とロック溝４７とは引っ掛るように連結され、それにより、支持回転ブロック４６の位置は固定され、杖支柱１０を支持でき、回転板１７は収縮溝１５の中に収納され、伸縮ばね２４は圧縮状態にあり、杖支柱１０を患者の脇下に置くことができ、棉クッション１２と脇下とは当接し、両手はそれぞれ取っ手１４をつかみ、手で杖支柱１０を動かして移動することができ、それにより、患者の歩行を支える。 
【００２０】
ローラ５４を利用する時に、引張り溝１８を引き動かし、回転板１７を相対回転させて水平状態にさせ、引掛りブロック２３は伸縮ばね２４によって移動し、引掛りブロック２３は連結溝２６の中に伸び、回転板１７と固定軸１６とを固定的に連結させ、左側の引掛りブロック２３は連結スライドブロック２７を押して右側の連結溝２６の中に移動させ、左右の回転板１７を連結させ、回転板１７が回転する時に、伝動歯車３１は回転し、昇降ラック３２を降下させ、それにより、昇降ブロック３６は降下し、且つ推動ブロック３９を圧迫しスライド溝３８の中に移動させ、そして、昇降引掛りブロック４２は上昇しロック溝４７から離脱し、昇降ブロック３６の降下とともに、固定ラック３７と噛合歯車４９とは噛み合い、噛合歯車４９を回転させ、伝動により、杖支柱１０にある左右側の支持回転ブロック４６を同期的に逆回転させ、それにより、杖支柱１０は降下し、ローラ５４と地面とを当接させる。 
【００２１】
使用時に、杖支柱１０は回転板１７によって連結された後、安定性を有し、患者は回転板１７に支えられ、ローラ５４の回転によって杖支柱１０の前進を連動させることができ、患者自身の施す力を軽減する。 
【００２２】
本発明のメリットは：本発明の整骨科医療用松葉杖は二つの使用方法を有し、一つは脇下に置いて松葉杖として利用でき、使用者自身の力で杖の移動を連動させ、もう一つは、ローラの回転移動で患者の歩行を輔助でき、使用範囲が広く、異なる整骨科患者の需要を満たし、且つ操作に便利である。 
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。